(57)【要約】  【課題】    本発明は、漏水試験を行い易い浴槽を提供することを目的とする。  また、切り屑等が侵入し難く、施工を行い易い浴槽を提供することを目的とする。  【解決手段】  周囲に上縁面を、底面に凹凸部及び排水口を有する浴槽であって、上記上縁面及び底面が、排水口を避けて保護シートにより覆われる浴槽。  【選択図】  図３
2008237497.tif 000002
【特許請求の範囲】
【請求項１】
周囲に上縁面を、底面に凹凸部及び排水口を有する浴槽であって、上記上縁面及び底面が、排水口を避けて保護シートにより覆われる浴槽。
【請求項２】
請求項１において、上縁面を覆う保護シートと、底面を覆う保護シートとが、異なる保護シートである浴槽。
【請求項３】
請求項１又は２において、底面を覆う保護シートが、透明である浴槽。
【請求項４】
請求項１乃至３の何れかにおいて、底面が、上下二段に分かれた浴槽。
【請求項５】
請求項１乃至４の何れかにおいて、底面を覆う保護シートが、その周囲を接着テープにて封止される浴槽。
【発明の詳細な説明】
【技術分野】
【０００１】
本発明は、浴室内に設置される浴槽に関する。
【背景技術】
【０００２】
浴室ユニットは、在来工法では日数のかかる浴室の工事を短期間に行えるようにユニット化した部材を組み立てて完成される浴室であり、近年広く用いられている。より具体的には、部材として、防水パン、壁パネル、天井パネル、浴槽等を用い、その他、鏡、カウンター、棚、シャワー等も組み付ける。
浴室ユニットは、前述したように、様々な部材からなるが、製造現場から施工場所へは各部材が個別に搬送され、搬送時に傷等が付かないようにしている。
中でも、浴槽は、最も目につきやすく、その外観を重視されるので、搬送時及び施工時に、ゴミ、傷等の付着がないように養生シートを貼り付けるようにしている。
【０００３】
図１は、従来の浴槽を示す平面図である。浴槽１は、湯舟２と、この湯舟２の周囲に設けた上縁面３とを備え、湯舟２の底部に滑り止めの凸部４を有している。
【０００４】
養生シートは、弱粘着性のＰＥフィルム５を用いており、上縁面３及び湯舟２の底面に貼り付け、浴槽１を保護している。
特に、凸部４の部分は、施工時に施工者が足で踏む場所になるため、より一層の保護が必用と考え、強粘着性の養生テープ６を２辺に用いて、ＰＥフィルム５を貼り付けている。
尚、図１には、養生テープ６が４箇所あるが、これは湯舟２がステップ７を有する２段になっているためで、ステップ７の上下で各々２辺を養生テープ６にて貼り付けている。
【特許文献１】特開平９−２２１１９０号公報
【発明の開示】
【発明が解決しようとする課題】
【０００５】
しかしながら、図１に示されるものでは、ＰＥフィルム５が、排水口８を覆っており、浴槽設置後の漏水試験が行いにくい。
また、弱粘着性のＰＥフィルム５は、凸部４が砂目加工であることから、接着力が弱くなり、切り屑等が侵入しやすく、養生テープ６を用いてあっても、ＰＥフィルム５の２辺のみで、他の辺からの侵入を阻止出来ない。
【０００６】
本発明は、漏水試験の行い易い浴槽を提供することを目的とする。
また、切り屑等が侵入し難く、施工を行い易い浴槽を提供することを目的とする。
【課題を解決するための手段】
【０００７】
本発明は、以下のものに関する。
（１）周囲に上縁面を、底面に凹凸部及び排水口を有する浴槽であって、上記上縁面及び底面が、排水口を避けて保護シートにより覆われる浴槽。
（２）項（１）において、上縁面を覆う保護シートと、底面を覆う保護シートとが、異なる保護シートである浴槽。
（３）項（１）又は（２）において、底面を覆う保護シートが、透明である浴槽。
（４）項（１）乃至（３）の何れかにおいて、底面が、上下二段に分かれた浴槽。
（５）項（１）乃至（４）の何れかにおいて、底面を覆う保護シートが、その周囲を接着テープにて封止される浴槽。
【発明の効果】
【０００８】
本発明によれば、保護シートが排水口を避けているので、保護シートの剥がし・貼り直しを行うことなく、漏水試験を実施することができる。
湯舟底部を覆うシートと、上縁面を覆うシートを異ならせた場合は、略平面であり施工時に足を載せない上縁面を弱粘着性の保護シートにて覆うことで、加工費、接着テープ費がかからないという面で湯舟底部を覆うシートよりも費用を安くすることができる。
凹凸部を覆う保護シートを透明にした場合は、施工時であっても、凹凸部の位置を視認でき、その部分を踏むことがない。
浴槽底面が上下二段であり、下段にて入浴を行い、上段にて半身浴を行うことができる浴槽についても保護シートの周囲を接着テープにて封止した場合は、仮に保護シートが浴槽底面から浮いても、接着テープにより切り屑等が侵入することがない。
【発明を実施するための最良の形態】
【０００９】
本発明にて述べる浴槽は、湯舟と、この湯舟周囲に設けられた上縁面とを有し、湯舟底部に凹凸部を有するものであれば、特に限定されるものではない。
湯舟の形状は、直方体、立方体、樽型、ヘチマ型等、湯を貯留できる形状であればよく、内部に段差を設けることもできる。
凹凸部は、複数の突起を凸部とし、凸部間を凹部とすることができる。また、凸部の上面を球面および平面形状となし、この球面、平面部により細かい凹凸を付することもできる。
浴槽を形成する材料は、ステンレス等の金属、大理石等の天然石、合成樹脂、合成樹脂にガラス繊維等を含浸させた複合材料等を用いることができ、中でも、合成樹脂、その複合材料を用いることが、高強度、高耐食性を有しており好ましい。
排水口は、湯舟内の湯水を系外へと排出できるものであれば特に限定されず、浴槽底面に設けられる。複数段を有する浴槽では、最も低い段に排水口を設ける。排水口の開閉は、栓を用いて行うものでも、蓋を用いるものでも良い。
【００１０】
本発明に用いる保護シートは、特に限定されるものではないが、衝撃を吸収するように浴槽の表面硬度よりも低い硬度のものを用いることが好ましく、片面に接着性を有する。
保護シートの材質は、具体的に述べると、ポリエチレン、ＰＥＴ、ポリプロピレン等の高分子材料を用いたものを使用することができ、中でも、ポリエチレンを用いることが、結晶化度が低く柔軟であるため好ましい。
尚、浴槽上縁面の保護シートと、浴槽底面の保護シートとは、同じものであっても、異なるものであっても良い。
保護シートの厚みは、特に限定されるものではないが、０．０５〜０．１ｍｍ程度であることが好ましく、これよりも薄いと保護性能が徐々に低下し、これよりも厚いと徐々に作業性能が悪化する。
保護シートは、どのような色を有していても良いが、無色透明又は有色透明なものが好ましく、透明化することで、浴槽底面の位置確認等を容易に行うことができる。
保護シートは、浴槽の上縁面及び底面に張り付けるが、排水口を覆わずに張り付けられる。排水口を避けるには、保護シートに排水口を避ける切り欠きを設ける方法、排水口の位置を凹凸部から離れた位置にする方法等、種々の方法を用いることができる。
浴槽底面が上下二段になっている場合は、その双方の段に保護シートを張り付ける。
【００１１】
本発明にて述べる接着テープは、剥がす際に、のり残り等がなく、美麗に剥がせるテープを用いる。またその中でも粘着性がある程度強く、例えば逆さにしても、高温、低温環境下でも剥がれないものが最適である。
具体的には、布製接着テープ、紙製接着テープ、プラスチック製接着テープ等を用いることができ、中でもプラスチック製の内装養生用の接着テープを用いることが、のり残りがなく好適である。
また、内装養生用の接着テープは、高温又は低温の環境下でも剥がれがなく、輸送時等に屋外に出る浴槽に、特に適している。
【実施例】
【００１２】
以下、本発明の１実施例について図面を用いて説明する。
図２は、本発明の１実施例を示し、（ａ）が浴槽の平面図、（ｂ）が概略断面図である。
浴槽１は、湯舟２の周囲に略平面状の上縁面３を有しており、湯舟２の底部が下底部９と、上底部１０とを有する二段構造になっている。
下底部９及び上底部１０の上面には、複数の円形状凹凸部１１を設けており、砂目状にして滑り止めの効果を持たせている。
下底部９は、その周縁に近い部分に、排水口８を設けてあり、上縁面３に設けたスイッチ１２により排水口８に設けた蓋を開閉させ、排水を行う。
浴槽１は、ガラス繊維を用いたＳＭＣ（シートモールディングコンパウンド）成形品であり、上縁面８の部分で縦８００ｍｍ、横１６００ｍｍ、高さ５００ｍｍのものである。
【００１３】
図３は、図２に示す浴槽に保護シートを張り付けたものを示し、（ａ）が平面図、（ｂ）が概略断面図である。
上底部１０に用いた保護シート１３は、厚み０．０６５ｍｍのポリエチレンフィルム（商品名「カネロンフィルム」、カネロン化学工業株式会社製）であり、下底部９に用いた保護シート１３は、厚み０．０７ｍｍのポリエチレンフィルム（商品名「ＬＤＰＥ両開きシート」、株式会社かど商店）である。
保護シート１３は、上縁面３、下底部９、上底部１０に張り付けられ、特に、下底部９及び上底部１０では、全ての凹凸部１１が覆われるようにする。
但し、下底部９では、排水口８を保護シート１３にて覆わないように、保護シート１３に切欠１４を設けてある。
【００１４】
保護シート１３は、元々長方形形状のものを、目的とする形状に切断して使用する。
図４は、本実施例に使用したトムソン型１５であり、図面右側に浴槽の下底部に張り付ける保護シートを切断する型を配置し、図面左側に浴槽上底部に張り付ける保護シートを切断する型を配置している。
図５は、図４に記載するトムソン型により保護シートを切断する概略断面図である。トムソン型は、平板１６に対し、切断形状に配置された刃１７が立設されており、この刃１７の両脇にゴム体１８が並設されている。ゴム体１８の上面は平面状になっており、その高さは刃１７よりも高く、刃１７に接触させることなく、切断したい加工品をゴム体１８の上面に配置することができる。
保護シート１３をゴム体１８の上面に配置した後は、保護シート１３の上面に当て板１９をあてがい、押圧することでゴム体１８が圧縮され、突出した刃１７が、保護シート１３を切断する。
【００１５】
図３に戻り、下底部９及び上底部１０に張り付けた保護シート１３は、その周囲全てを養生テープ６にて封止している。
本実施例にて使用する養生テープ６は、厚み０．１２５ｍｍのポリエチレン製養生テープ（商品名「Ｎｏ．３９５Ｎ」、日東電工株式会社製）である。
【００１６】
図６は、図３に示す浴槽を施工現場に搬送する際の梱包状態を示す概略透視側面図である。浴槽１の内部は、搬送時に無効空間とならないように、備品を梱包した段ボール箱２０が入れられているが、浴槽１の底部（下底部９）には保護シートが張り付けられているので、段ボール箱２０により浴槽底部が傷つけられることがなかった。
また、図示を省略する浴槽の施工時においても、浴槽は、保護シートにより保護されているので、施工者が湯舟内にて作業を行っても、切り屑等が保護シートの内部に侵入することがなく、傷等も発生しなかった。
【図面の簡単な説明】
【００１７】
【図１】従来例を示す浴槽の平面図である。
【図２】本発明の実施例を示す保護シート張り付け前の図面であり、（ａ）は平面図を示し、（ｂ）は概略断面図を示す。
【図３】図２に示す浴槽に保護シートを張り付けた図面であり、（ａ）は平面図を示し、（ｂ）は概略断面図を示す。
【図４】図３に示す保護シートを切断したトムソン型の平面図を示す。
【図５】図４に示すトムソン型を用いて保護シートを切断する概略断面図を示す。
【図６】図３に示す浴槽の搬送時の梱包状態を示す概略透視側面図である。
【符号の説明】
【００１８】
１…浴槽、２…湯舟、３…上縁面、４…凸部、５…ＰＥフィルム、６…養生テープ、７…ステップ、８…排水口、９…下底部、１０…上底部、１１…凹凸部、１２…スイッチ、１３…保護シート、１４…切欠、１５…トムソン型、１６…平板、１７…刃、１８…ゴム体、１９…当て板、２０…段ボール箱
【図１】
2008237497.tif 000003
【図２】
2008237497.tif 000004
【図３】
2008237497.tif 000005
【図４】
2008237497.tif 000006
【図５】
2008237497.tif 000007
【図６】
2008237497.tif 000008